(57)【特許請求の範囲】
【請求項１】
アナログオーディオ信号を入力するアナログ入力端子と、
デジタルオーディオ信号を入力するデジタル入力端子と、
上記デジタル入力端子から入力されるデジタルオーディオ信号の種類を識別する識別手段と、
上記識別手段による識別の結果、上記デジタル入力端子から入力されたデジタルオーディオ信号の種類がＰＣＭ（Pulse Code Modulation）無音信号であり、かつ、該ＰＣＭ無音信号が入力されている状態が予め定めた時間だけ継続した場合に、上記アナログ入力端子から入力されるアナログオーディオ信号を再生するよう、内部の信号経路を切り替え、そうでない場合に、上記デジタル入力端子から入力されるデジタルオーディオ信号を再生するよう、内部の信号経路を切り替える切り替え手段とを有することを特徴とするオーディオ再生装置。
【請求項２】
請求項１記載のオーディオ再生装置であって、
上記デジタル入力端子から入力されるデジタルオーディオ信号に、上記識別手段が識別した種類に応じた信号処理を施す信号処理手段を有することを特徴とするオーディオ再生装置。
【発明の詳細な説明】
【０００１】
【発明の属する技術分野】
本発明は、オーディオ再生装置において、内部の信号経路を選択する技術に関し、例えば、１台の外部ＡＶ機器（特に、ＢＳデジタルチューナ内蔵ＴＶ）からのアナログオーディオ信号およびデジタルオーディオ信号が、自身のアナログ入力端子およびデジタル入力端子に入力されるように接続されているＡＶコントロールアンプにおいて、該外部ＡＶ機器からのアナログオーディオ信号およびデジタルオーディオ信号のいずれを再生するかを選択する際に好適な技術である。
【０００２】
【従来の技術】
現在、ＴＶ放送には、地上波放送，ＢＳアナログ放送，ＢＳデジタル放送がある。
【０００３】
ＢＳデジタル放送では、ＢＳアナログ放送でアナログ方式を使用していた映像信号が、デジタル圧縮方式であるＭＰＥＧ２方式となり、また、オーディオ信号は、ＢＳアナログ方式で使用されていたデジタルＰＣＭ（Pulse Code Modulation）信号からデジタルオーディオ圧縮方式であるＭＰＥＧ２ ＡＡＣ（MPEG2 Advanced Audio Coding）信号となっている。ＭＰＥＧ２ ＡＡＣは、マルチチャンネルオーディオを圧縮して伝送することができるので、ＢＳアナログ放送のＰＣＭ信号の２チャンネル再生とは異なり、映画などで、より臨場感あふれるオーディオ再生が可能となっている。
【０００４】
ＢＳアナログ放送は、ＢＳデジタル放送が開始されたことにより、放送終了が予定されているので、ここでは、ＴＶ放送として地上波放送およびＢＳデジタル放送を扱う場合について記載する。
【０００５】
地上波放送およびＢＳデジタル放送を受信し、映像信号およびオーディオ信号を再生するには、地上波放送受信用チューナに加えてＢＳデジタルチューナを内蔵したＢＳデジタルチューナ内蔵ＴＶを使用する。
【０００６】
ＢＳデジタルチューナ内蔵ＴＶにおいて、地上波放送を受信する場合、放送電波を地上波放送受信用チューナで受信して復調し、得られた映像信号がＢＳデジタルチューナ内蔵ＴＶの画面に表示される。オーディオ信号は、ＢＳデジタルチューナ内蔵ＴＶに内蔵されているスピーカから再生するか、ＢＳデジタルチューナ内蔵ＴＶのアナログ出力端子をＡＶコントロールアンプのアナログ入力端子に接続し、ＡＶコントロールアンプに接続されているスピーカから再生する。
【０００７】
また、ＢＳデジタルチューナ内蔵ＴＶにおいて、ＢＳデジタル放送を受信する場合、ＢＳデジタル放送電波をＢＳデジタルチューナで受信して復調し、得られた映像信号がＢＳデジタルチューナ内蔵ＴＶの画面に表示される。オーディオ信号は、ＢＳデジタルチューナ内蔵ＴＶに内蔵されている２チャンネルのスピーカから再生するか、ＢＳデジタルチューナ内蔵ＴＶのデジタル出力端子をＡＶコントロールアンプのデジタル入力端子に接続し、ＡＶコントロールアンプに接続されているスピーカから再生する。このとき、ＢＳデジタルチューナ内蔵ＴＶのデジタル出力端子から出力されるオーディオ信号はＭＰＥＧ２ ＡＡＣ信号となるので、接続されるＡＶコントロールアンプは、ＭＰＡＧ２ ＡＡＣ信号を復号（デコード）することができるＡＶコントロールアンプであり、ＡＶコントロールアンプでＭＰＡＧ２ ＡＡＣ信号がデコードされて得られたマルチチャンネルオーディオ信号が、ＡＶコントロールアンプに接続されているスピーカから再生される。
【０００８】
このように、地上波放送およびＢＳデジタル放送に対応したＢＳデジタルチューナ内蔵ＴＶからのオーディオ信号をＡＶコントロールアンプに接続されているスピーカから再生する場合、地上波放送用のアナログオーディオ信号およびＢＳデジタル放送用のデジタルオーディオ信号（ＭＰＥＧ２ ＡＡＣ信号）が入力されるようにするために、ＢＳデジタルチューナ内蔵ＴＶのアナログ出力端子およびデジタル出力端子を、各々、ＡＶコントロールアンプのアナログ入力端子およびデジタル入力端子に同時に接続する必要がある。そして、ＡＶコントロールアンプにおいて、アナログ入力端子から入力される地上波放送用のアナログオーディオ信号を再生するか、デジタル入力端子から入力されるＢＳデジタル放送用のＭＰＥＧ２ ＡＡＣ信号を再生するかによって、内部の信号経路を選択する必要がある。
【０００９】
信号経路を選択する方法としては、第１の方法として、ユーザがＡＶコントロールアンプの操作部から、アナログ，デジタルのいずれのオーディオ入力に応じた信号経路を選択するかを入力する方法がある。
【００１０】
また、第２の方法として、１台のＡＶ機器からのアナログオーディオ信号，デジタルオーディオ信号が同時に入力されるように、自身のアナログ入力端子，デジタル入力端子に接続されている場合には、デジタル入力端子からデジタルオーディオ信号（デジタルオーディオインタフェース規格（ＩＥＣ−６０９５８）に従ったデジタルインタフェース信号）が入力されているならば、ＡＶコントロールアンプ内部のデジタル・アナログ（ＤＡ）コンバータで該デジタルオーディオ信号をＤＡ変換し、得られたアナログオーディオ信号をＡＶコントロールアンプに接続されているスピーカから再生するようにした方法がある。
【００１１】
第２の選択方法においては、デジタル入力端子から入力されるデジタルオーディオ信号を優先して出力するようにしているが、これは、デジタル信号に基づいて得たオーディオ信号の方が、アナログ信号に基づいて得たオーディオ信号よりも、伝送経路の影響を受けにくく、音質がよいという一般的な考えによるものである。
【００１２】
また、特開２０００−３３１４３１号公報には、ＤＶＤプレーヤからデジタルオーディオ信号の種類を示す情報を受け取り、受け取った情報に基づいて、入力系統を切り替える音声入力切替装置が開示されている。
【００１３】
すなわち、特開２０００−３３１４３１号公報に記載の技術では、ＤＶＤプレーヤ（音声再生ユニット部）が、ＤＶＤに記録されているデータから該ＤＶＤに記録されているデジタルオーディオ信号の種類を識別し、識別したデジタルオーディオ信号の種類を示す情報を、送受信部を介してＡＶコントロールアンプ（アンプユニット部）に送るようにしている。そして、ＡＶコントロールアンプが、ＤＶＤプレーヤから受け取ったデジタルオーディオ信号の種類を示す情報に基づいて、ＤＶＤプレーヤから入力するデジタルオーディオ信号が、自身でデコード可能なデジタルオーディオ信号であるか否かを判断し、デコード可能なデジタルオーディオ信号であるならば、ＤＶＤプレーヤから入力するデジタルオーディオ信号をデコードして出力するように信号経路を切り替え、デコード不可能なデジタルオーディオ信号であるならば、ＤＶＤプレーヤから入力するアナログオーディオ信号を出力するように信号経路を切り替えるようにしている。
【００１４】
【発明が解決しようとする課題】
ＢＳデジタルチューナ内蔵ＴＶで地上波放送を受信している場合、地上波放送は、アナログオーディオ信号であるので、ＢＳデジタルチューナ内蔵ＴＶのデジタル出力端子からはデジタルオーディオ信号が出力されずに、ＰＣＭ無音信号が出力されている。
【００１５】
この場合、ＡＶコントロールアンプで、第２の信号経路選択方法を採用していると、デジタル入力端子から入力されたデジタルオーディオ信号を優先して再生するようになっているので、地上波放送のアナログオーディオ信号がＡＶコントロールアンプで再生されず、デジタル入力端子からのＰＣＭ無音信号が再生されてしまう。
【００１６】
そこで、ユーザは、第１の信号経路選択方法により、ＡＶコントロールアンプを操作して、ＢＳデジタルチューナ内蔵ＴＶからのアナログオーディオ入力に応じた信号経路が選択されるように切り替え直す必要がある。
【００１７】
また、第１の信号経路選択方法を採用して、ＢＳデジタルチューナ内蔵ＴＶからのアナログオーディオ入力に応じた信号経路が選択されているときに、ＢＳデジタルチューナ内蔵ＴＶ側で地上波放送からＢＳデジタル放送を受信するように切り替えた場合、ＢＳデジタルチューナ内蔵ＴＶのデジタル出力端子からＢＳデジタル放送のＭＰＥＧ２ ＡＡＣ信号が出力されてくる。これをＡＶコントロールアンプで再生するためには、ユーザは、第１の信号経路選択方法により、ＡＶコントロールアンプを操作して、ＢＳデジタルチューナ内蔵ＴＶからのデジタルオーディオ入力に応じた信号経路が選択されるように切り替え直さなければならず、切り替えなければ、ＭＰＥＧ２ ＡＡＣ信号をＡＶコントロールアンプでデコードすることができなくなり、マルチチャンネルオーディオの再生ができなくなる。
【００１８】
さらに、特開２０００−３３１４３１号公報に記載されている技術では、ＤＶＤプレーヤおよびＡＶコントロールアンプが、共に、デジタルオーディオ信号の種類を示す情報を送受信するための送受信部を備えていなければならず、そのようなＤＶＤプレーヤ以外の外部ＡＶ機器がＡＶコントロールアンプに接続された場合には、信号経路の切り替えを自動的に行うことができない。また、入力されたデジタルオーディオ信号の種類を識別する機能をＡＶコントロールアンプが有しているわけではないので、例えば、ＢＳデジタルチューナ内蔵ＴＶからのデジタルオーディオ入力に応じた信号経路が選択されているときに、ＢＳデジタルチューナ内蔵ＴＶ側でＢＳデジタル放送から地上波放送を受信するように切り替えた場合、地上波放送のアナログオーディオ信号がＡＶコントロールアンプで再生されず、デジタル入力端子からのＰＣＭ無音信号が再生されてしまう。
【００１９】
このように、従来は、ＡＶコントロールアンプでユーザが所望するオーディオ信号を再生するためには、ＢＳデジタルチューナ内蔵ＴＶ側で受信する放送を切り替える度に、ＡＶコントロールアンプを操作し、信号経路を切り替える必要がある。
【００２０】
本発明は、入力するデジタルオーディオ信号の種類を識別し、識別結果に基づいて、内部の信号経路を自動的に切り替えるオーディオ再生装置を提供することを目的とする。
【００２１】
特に、本発明は、入力するデジタルオーディオ信号の種類がＰＣＭ無音信号である場合に、アナログオーディオ信号に応じた信号経路に切り替えることで、ＰＣＭ無音信号が再生されてしまうことを防止するものである。
【００２２】
【課題を解決するための手段】
上記目的を達成するために、本発明は、アナログオーディオ信号を入力するアナログ入力端子と、デジタルオーディオ信号を入力するデジタル入力端子とを備えたオーディオ再生装置において、上記デジタル入力端子から入力されたデジタルオーディオ信号の種類を識別し、識別の結果、上記デジタル入力端子から入力されたデジタルオーディオ信号の種類がＰＣＭ無音信号であり、かつ、該ＰＣＭ信号が入力されている状態が予め定めた時間だけ継続した場合には、上記アナログ入力端子から入力されるアナログオーディオ信号を再生するよう、内部の信号経路をアナログオーディオ信号に応じた信号経路に切り替えるようにしている。
【００２３】
そして、上記デジタル入力端子から入力されたデジタルオーディオ信号がＰＣＭ無音信号でなくなったら、上記デジタル入力端子から入力されるデジタルオーディオ信号を再生するよう、内部の信号経路をデジタルオーディオ信号に応じた信号経路に切り替えるようにしている。
【００２４】
例えば、上記アナログ入力端子および上記デジタル入力端子が、各々、１台のＢＳデジタルチューナ内蔵ＴＶのアナログ出力端子およびデジタル出力端子と接続されている場合に、ＢＳデジタルチューナ内蔵ＴＶ側でＢＳデジタル放送から地上波放送を受信するように切り替えたときには、それまで上記デジタル入力端子から入力されていたＭＰＥＧ２ ＡＡＣ信号がＰＣＭ無音信号に変わるが、本発明のオーディオ再生装置によれば、アナログオーディオ信号に応じた信号経路に自動的に切り替わることとなるので、地上波放送用のアナログオーディオ信号が再生されて、ＰＣＭ無音信号が再生されることがなくなる。そして、ＢＳデジタルチューナ内蔵ＴＶ側で地上波放送からＢＳデジタル放送を受信するように切り替えたときには、それまで上記デジタル入力端子から入力されていたＰＣＭ無音信号がＭＰＥＧ２ ＡＡＣ信号に変わるが、本発明のオーディオ再生装置によれば、デジタルオーディオ信号に応じた信号経路に自動的に切り替わることとなるので、ＢＳデジタル放送用のデジタルオーディオ信号（ＭＰＥＧ２ ＡＡＣ信号）が再生される。
【００２５】
従って、ユーザは、ＢＳデジタルチューナ内蔵ＴＶ側で受信する放送を切り替える度に、ＡＶコントロールアンプを操作する必要がなくなる。
【００２６】
【発明の実施の形態】
以下、本発明の実施形態について図面を参照して説明する。
【００２７】
図１は、本発明の実施形態に係るＡＶコントロールアンプの全体構成図である。
【００２８】
図１において、１はデジタル入力部、２はデジタル入力セレクタ、３はＤＩＲ（Digital Interface Receiver）、４はアナログ／デジタル（Ａ／Ｄ）切り替えセレクタ、５はＤＳＰ（Digital Signal Processor）、６はデジタル・アナログ（ＤＡ）コンバータ、７はアナログダイレクト／ＤＳＰ処理切り替えセレクタ、８はアナログ出力部、９はアナログ入力部、１０はアナログ入力セレクタ、１１はアナログ・デジタル（ＡＤ）コンバータ、１２はホストマイコン、１３は操作部、１４は表示部である。
【００２９】
はじめに、図１を用いて、本実施形態に係るＡＶコントロールアンプの全体構成について説明する。
【００３０】
本実施形態に係るＡＶコントロールアンプは、デジタル入力部１およびアナログ入力部９に、各々、ＢＳデジタルチューナ内蔵ＴＶ（図示せず。）からのデジタルオーディオ信号およびアナログオーディオ信号が入力されるよう、ＢＳデジタルチューナ内蔵ＴＶのアナログ出力端子およびデジタル出力端子との間が接続されている。
【００３１】
本実施形態に係るＡＶコントロールアンプにおいて、ＢＳデジタルチューナ内蔵ＴＶからのデジタルオーディオ信号は、デジタル入力部１を通して入力される。ＢＳデジタルチューナ内蔵ＴＶ以外の複数の外部ＡＶ機器（ＤＶＤプレーヤやビデオテープレコーダ等）からのデジタルオーディオ信号が入力されている場合には、ホストマイコン１２の指示により、デジタル入力セレクタ２で選択されたデジタルオーディオ信号がＤＩＲ３に送られる。
【００３２】
ＤＩＲ３では、入力されたデジタルオーディオ信号がバイフェーズマーク方式で変調された信号となっているので、該デジタルオーディオ信号を復調し、該デジタルオーディオ信号と共に送られてくる付加情報（サンプリング，エンファシス，プリアンブル情報等）を抽出する。
【００３３】
ＤＩＲ３で復調されたデジタルオーディオ信号は、Ａ／Ｄ切り替えセレクタ４に送られ、Ａ／Ｄ切り替えセレクタ４では、ホストマイコン１２の指示により、デジタル入力側が選択されて、ＤＳＰ５へ入力される。
【００３４】
また、ＤＩＲ３で抽出された付加情報は、ホストマイコン１２に送られ、ホストマイコン１２内部の主記憶に記憶される。
【００３５】
本実施形態に係るＡＶコントロールアンプで扱うデジタルオーディオ信号には、ＰＣＭオーディオと非ＰＣＭオーディオのビットストリームとがあり、非ＰＣＭオーディオのビットストリームには、ＤＯＬＢＹ ＤＩＧＩＴＡＬ（登録商標），ＤＴＳ（登録商標），ＭＰＥＧ２ ＡＡＣ等がある。
【００３６】
ビットストリームは、圧縮されたデータであるので、復号する必要があるのだが、ビットストリームデータには、上記のように複数の種類があるので、ビットストリームデータの種類を識別し、ビットストリームデータの種類に応じた復号処理を選択する必要がある。
【００３７】
そこで、ホストマイコン１２では、主記憶に記憶されているデジタルオーディオ信号の付加情報から、デジタルオーディオ信号（ビットストリームデータ）の種類を識別し、識別結果に基づいて、該デジタルオーディオ信号に応じた復号化ソフトウェアを決定し、ＤＳＰ５に対して、決定した復号化ソフトウェアの設定を行う。
【００３８】
ＤＳＰ５では、ホストマイコン１２により設定された復号化ソフトウェアを用いてデジタルオーディオ信号を復号化（デコード）し、デコードしたデジタルオーディオ信号をＤＡコンバータ６に送る。
【００３９】
ＤＡコンバータ６では、デコードされたデジタルオーディオ信号をアナログオーディオ信号にＤＡ変換し、ＤＡ変換したアナログオーディオ信号をアナログダイレクト／ＤＳＰ処理切り替えセレクタ７に送る。
【００４０】
アナログダイレクト／ＤＳＰ処理切り替えセレクタ７では、ホストマイコン１２の指示により、ＤＳＰ処理側が選択され、ＤＡコンバータ６でＤＡ変換されたアナログオーディオ信号は、アナログ出力部８から出力される。なお、アナログ出力部８は、通常、スピーカ（図示せず。）に接続されている。
【００４１】
一方、本実施形態に係るＡＶコントロールアンプにおいて、ＢＳデジタルチューナ内蔵ＴＶからのアナログオーディオ信号は、アナログ入力部９を通して入力される。ＢＳデジタルチューナ内蔵ＴＶ以外の複数の外部ＡＶ機器からのアナログオーディオ信号が入力されている場合には、ホストマイコン１２の指示により、アナログ入力セレクタ１０で選択されたアナログオーディオ信号が、ＡＤコンバータ１１およびアナログダイレクト／ＤＳＰ処理切り替えセレクタ７に送られる。
【００４２】
ここで、入力されたアナログオーディオ信号に対して、ＡＶコントロールアンプ内で音響効果を付加する必要がない場合は、ホストマイコン１２は、Ａ／Ｄ切り替えセレクタ４をアナログ入力側に切り替えると共に、アナログダイレクト／ＤＳＰ処理切り替えセレクタ７をアナログダイレクト側に切り替え、入力されたアナログオーディオ信号がそのままアナログ出力部８から出力されるようにする。
【００４３】
また、入力されたアナログオーディオ信号に対して、ＡＶコントロールアンプ内で音響効果を付加する必要がある場合は、ホストマイコン１２は、Ａ／Ｄ切り替えセレクタ４をアナログ入力側に切り替えると共に、アナログダイレクト／ＤＳＰ処理切り替えセレクタ７をＤＳＰ処理側に切り替え、一旦ＡＤコンバータ１１でＡＤ変換され、ＤＳＰ５で音響効果が付加された後、再びＤＡコンバータ６でＤＡ変換されたアナログオーディオ信号がアナログ出力部８から出力されるようにする。
【００４４】
なお、音響効果を付加するか否かは、ユーザが予め操作部１３から設定してあるものとする。
【００４５】
次に、ホストマイコン１２がデジタルオーディオ信号の種類を識別する方法について説明する。
【００４６】
ＤＩＲ３に入力されるデジタルオーディオ信号は、図２に示すように、デジタルオーディオインタフェース規格（ＩＥＣ−６０９５８）に従ったインタフェースとなっており、図２のｂｉｔ２７〜ｂｉｔ１２の部分に、符号化されたデジタルオーディオ信号が格納されている。
【００４７】
符号化されたデジタルオーディオ信号には、ＰＣＭオーディオと非ＰＣＭオーディオのビットストリームとがあり、ビットストリームは、ビットストリームをＩＥＣ−６０９５８インタフェースに適用するために規定されている規格（ＩＥＣ−６１９３７）に従い、図３に示すように、データバースト形式となって、図２のｂｉｔ２７〜ｂｉｔ１２の部分に配置されており、各データバーストの先頭には、各１６ビット（計６４ビット）のプリアンブル（Ｐａ，Ｐｂ，Ｐｃ，Ｐｄ）が付加されている。ここで、Ｐａ，Ｐｂは同期コード、Ｐｃはデータバーストに関する情報、Ｐｄはデータバーストの長さを表している。
【００４８】
ＩＥＣ−６０９５８に基づいて伝送しているデジタルオーディオ信号がＰＣＭオーディオであるか非ＰＣＭオーディオのビットストリームであるかを識別するには、ＩＥＣ−６０９５８のサブフレーム中にプリアンブル（Ｐａ，Ｐｂ，Ｐｃ，Ｐｄ）が存在するか否かを調べればよく、プリアンブルが存在すれば、非ＰＣＭオーディオのビットストリームであると判断し、プリアンブルが存在しなければ、ＰＣＭオーディオであると判断することができる。また、ＩＥＣ−６０９５８のサブフレーム中にプリアンブル（Ｐａ，Ｐｂ，Ｐｃ，Ｐｄ）が存在しないで、かつ、ＩＥＣ−６０９５８のサブフレームのｂｉｔ２７〜ｂｉｔ１２が全て０の場合には、ＰＣＭ無音信号であると判断することができる。
【００４９】
また、このようにして、非ＰＣＭオーディオのビットストリームであると判断した場合に、さらに、Ｐｃのｂｉｔ４〜ｂｉｔ０に記録されているｄａｔａ＿ｔｙｐｅを調べることにより、非ＰＣＭオーディオのビットストリームの種類を識別することができる。すなわち、ＢＳデジタル放送用のＭＰＥＧ２ ＡＡＣ信号であるか否かは、非ＰＣＭオーディオのビットストリームである場合に、Ｐｃのｄａｔａ＿ｔｙｐｅを調べることにより識別することができる。
【００５０】
次に、本実施形態に係るＡＶコントロールアンプの信号経路切り替え動作について説明する。
【００５１】
本実施形態に係るＡＶコントロールアンプにおいて、ホストマイコン１２は、上述のようにしてデジタルオーディオ信号の種類を識別し、ＰＣＭ無音信号ではないと判断した場合は、Ａ／Ｄ切り替えセレクタ４をデジタル入力側に切り替えると共に、アナログダイレクト／ＤＳＰ処理切り替えセレクタ７をＤＳＰ処理側に切り替え、ＤＩＲ３で復調され、ＤＳＰ５でデコードされた後、ＤＡコンバータ６でＤＡ変換されたアナログオーディオ信号がアナログ出力部８から出力されるようにする。ここで切り替えられる信号経路を、「デジタル」と呼ぶ。
【００５２】
また、本実施形態に係るＡＶコントロールアンプにおいて、ホストマイコン１２は、上述のようにしてデジタルオーディオ信号の種類を識別し、ＰＣＭ無音状態となったと判断した場合、内部の時計により時間を計測する。
【００５３】
この間にも、ホストマイコン１２内部の主記憶に記憶されている付加情報は、デジタル入力部１から入力されたデジタルオーディオ信号中に付加情報が現れる度に、ＤＩＲ３によって更新されており、ホストマイコン１２は、付加情報が更新される度に、デジタルオーディオ信号の種類を識別する。
【００５４】
そして、ＰＣＭ無音状態のまま、計測時間が１秒となった場合には、ホストマイコン１２は、アナログ入力部９から入力されるアナログオーディオ信号を再生するよう、内部の信号経路を切り替える。すなわち、ホストマイコン１２は、Ａ／Ｄ切り替えセレクタ４をアナログ側に切り替えると共に、アナログダイレクト／ＤＳＰ処理切り替えセレクタ７をアナログダイレクト側に切り替え、入力されたアナログオーディオ信号がそのままアナログ出力部８から出力されるようにする。ここで切り替えられる信号経路を、「アナログダイレクト」と呼ぶ。
【００５５】
なお、入力されたアナログオーディオ信号に対して、ＡＶコントロールアンプ内で音響効果を付加する必要がある場合は、ホストマイコン１２は、Ａ／Ｄ切り替えセレクタ４をアナログ入力側に切り替えると共に、アナログダイレクト／ＤＳＰ処理切り替えセレクタ７をＤＳＰ処理側に切り替え、一旦ＡＤコンバータ１１でＡＤ変換され、ＤＳＰ５で音響効果が付加された後、再びＤＡコンバータ６でＤＡ変換されたアナログオーディオ信号がアナログ出力部８から出力されるようにする。ここで切り替えられる信号経路を、「アナログＤＳＰ」と呼び、「アナログダイレクト」および「アナログＤＳＰ」を総じて「アナログ」と呼ぶ。
【００５６】
ここで、１秒間という計測時間は、ＢＳデジタルチューナ内蔵ＴＶでＢＳデジタル放送を受信している場合に、ＢＳデジタル放送のプログラムチャンネルを切り替えたときに、デジタルオーディオ出力から出力されるＰＣＭ無音信号によって信号経路を切り替えてしまわないようにするために設けた時間である。この時間は、ユーザが、表示部１４に表示される指示に従って、操作部１３から所望の値を入力して変更することも可能である。
【００５７】
つまり、本実施形態に係るＡＶコントロールアンプにおいては、上記１秒間の計測中に（計測時間が１秒に満たないうちに）、デジタルオーディオ信号の種類がＰＣＭ無音状態ではなくなった場合には、ＡＶコントロールアンプ内部の信号経路は、「アナログ」ではなく、「デジタル」となるように設定され、ユーザがＢＳデジタル放送のプログラムチャンネルを切り替える度に、信号経路が切り替わってしまうことがない。
【００５８】
さて、ホストマイコン１２が信号経路を切り替える手順を、図４のフローチャートに示す。
【００５９】
上述したように、ホストマイコン１２の主記憶には、ＤＩＲ３で抽出された付加情報が記憶されている。
【００６０】
そこで、図４に示すように、ホストマイコン１２は、まず、主記憶に記憶されている付加情報から、デジタル入力部１からデジタル入力セレクタ２を介して入力されたデジタルオーディオ信号の種類を識別する（ステップＳ１）。ここでいう種類には、ＰＣＭ，ＰＣＭ無音，ＤＯＬＢＹ ＤＩＧＩＴＡＬ（登録商標），ＤＴＳ（登録商標），ＭＰＥＧ２ ＡＡＣ等が含まれる。
【００６１】
続いて、ホストマイコン１２は、ステップＳ１の識別結果が、ＰＣＭ無音で、かつ、ＰＣＭ無音が１秒以上継続しているか否かを確認する（ステップＳ２）。
【００６２】
ステップＳ２で肯定結果が得られた場合は、ホストマイコン１２は、ＡＶコントロールアンプ内部の信号経路を「アナログ」に設定し（ステップＳ３）、信号経路切り替え手順を終了する。本実施形態に係るＡＶコントロールアンプにおいては、「アナログダイレクト」および「アナログＤＳＰ」の２種類の信号経路を用意しているので、いずれの信号経路に設定するかは、ユーザが予め設定してある内容に従う。
【００６３】
また、ステップＳ２で否定結果が得られた場合は、ホストマイコン１２は、ＡＶコントロールアンプ内部の信号経路を「デジタル」に設定し（ステップＳ４）、信号経路切り替え手順を終了する。
【００６４】
以上説明したように、本発明の実施形態に係るＡＶコントロールアンプによれば、入力されたデジタルオーディオ信号の種類を識別し、識別の結果、ＰＣＭ無音信号が予め定めた時間だけ継続したと判断した場合に、ＡＶコントロールアンプ内部の信号経路を「アナログ」となるように設定するようにしているので、ＢＳデジタルチューナ内蔵ＴＶ側でＢＳデジタル放送から地上波放送を受信するように切り替えたときに、地上波放送用のアナログオーディオ信号が再生されて、ＰＣＭ無音信号が再生されることがなくなる。そして、ＢＳデジタルチューナ内蔵ＴＶ側で地上波放送からＢＳデジタル放送を受信するように切り替えたときには、ＡＶコントロールアンプ内部の信号経路が「デジタル」となるように設定され、ＢＳデジタル放送用のデジタルオーディオ信号（ＭＰＥＧ２ ＡＡＣ信号）が再生される。
【００６５】
従って、ユーザは、ＢＳデジタルチューナ内蔵ＴＶ側で受信する放送を切り替える度に、ＡＶコントロールアンプを操作する必要がなくなり、常に所望の再生音を得ることができるようになる。
【００６６】
【発明の効果】
以上説明したように、本発明のオーディオ再生装置によれば、入力するデジタルオーディオ信号の種類を識別し、識別結果に基づいて、内部の信号経路を自動的に切り替えるので、ユーザは、常に所望の再生音を得ることができるようになる。
【００６７】
特に、デジタルオーディオ信号を再生するよう、内部の信号経路が切り替えられているときに、アナログオーディオ信号が入力された場合でも、アナログ信号を再生するよう、内部の信号経路が切り替わるので、ＰＣＭ無音信号が再生されてしまうことを防止することができる。
【図面の簡単な説明】
【図１】本発明の実施形態に係るＡＶコントロールアンプの全体構成図。
【図２】ＩＥＣ−６０９５８インタフェースフォーマットを示す説明図。
【図３】データバーストフォーマットを示す説明図。
【図４】本発明の実施形態に係る信号経路切り替え手順を示すフローチャート。
【符号の説明】
１：デジタル入力部
２：デジタル入力セレクタ
３：ＤＩＲ（Digital Interface Receiver）
４：アナログ／デジタル（Ａ／Ｄ）切り替えセレクタ
５：ＤＳＰ（Digital Signal Processor）
６：デジタル・アナログ（ＤＡ）コンバータ
７：アナログダイレクト／ＤＳＰ処理切り替えセレクタ
８：アナログ出力部
９：アナログ入力部
１０：アナログ入力セレクタ
１１：アナログ・デジタル（ＡＤ）コンバータ
１２：ホストマイコン
１３：操作部
１４：表示部
【図１】
0003794565.tif 000002
【図２】
0003794565.tif 000003
【図３】
0003794565.tif 000004
【図４】
0003794565.tif 000005